(57)【特許請求の範囲】
【請求項１】
乗用自動車の後席前方の床面足留り部において、床下ピットを形成したフラットな床面を構成し、前記床下ピット内に設置されたボックスと、このボックス内の両側に起倒可能に取り付けられ、起立状態において前記後席に対し前後方向に２つ折り曲げ可能な上下脚と、この上下脚の上脚上端に回動可能に枢着したアームと、このアームを上下脚に対し水平位置と傾斜位置とに支持するステーと、平面状の展開並びに２つ折り重ね可能であり、２つ折り重ねでは前記ボックス上面の開口部を閉塞して床面と同一平面を形成する蓋体となり、平面状の展開では前記上下脚の起立状態で水平位置にしたアーム上に載置してテーブル板となり、かつ前記上脚を折り曲げた状態で下脚と傾斜位置にしたアーム上に載置してオットマンとする天板とを備えたことを特徴とする自動車用室内テーブル。
【発明の詳細な説明】
【０００１】
【発明の属する技術分野】
本発明は、オットマン（足乗せ台）機能を備え、格納可能な自動車用室内テーブルに関するものである。
【０００２】
【従来の技術】
従来の自動車用室内テーブルは、バン型乗用自動車において図９で示すように、車室内の後方床面にスライドレール２２を敷設し、テーブル２０の下端に設けたベースプレート２１を前記スライドレール２２に摺動可能に案内させ、ボルトによって所定位置に固定するようにしたものが提供されている。また、図１０で示すように、前席の背もたれ２３にテーブル２６を手前に回転引き出し可能に格納したテーブルユニット２５をヘッドレストの脚２４を利用して固定したものも提供されている。
【０００３】
【発明が解決しようとする課題】
上記図９で示す構造のテーブルは使用しない時でも床面上に存在してスペースを占めており邪魔になると共に、セダンタイプの乗用自動車には適用することはできない。上記図１０で示す構造のテーブルは乗用自動車に適用することはできるが、テーブルの面積が小さい。また、後席着座者が楽な姿勢になるために足乗せ台を使用する時には、別個に足乗せ台を車室内に持ち込んだ場合、それを使用しないときには床面上に置くことになり、あるいは手荷物等を持ち込んだ時にはは座席上や床面上に置くことになり、これも邪魔になり、座席や床面のスペースが狭くなって居住性を悪くする。
【０００４】
本発明の目的は、後席前方の床面上で邪魔にならないよう後席前方の床面下に各種の物品の収納を可能とし、かつオットマン（足乗せ台）機能を備え、後席前方の床面下に格納可能な自動車用室内テーブルを提供することである。
【０００５】
【課題を解決するための手段】
上記の目的を達成するための本発明は、乗用自動車の後席前方の床面足留り部において、床下ピットを形成したフラットな床面を構成し、前記床下ピット内に設置されたボックスと、このボックス内の両側に起倒可能に取り付けられ、起立状態において前記後席に対し前後方向に２つ折り曲げ可能な上下脚と、この上下脚の上脚上端に回動可能に枢着したアームと、このアームを上下脚に対し水平位置と傾斜位置とに支持するステーと、平面状の展開並びに２つ折り重ね可能であり、２つ折り重ねでは前記ボックス上面の開口部を閉塞して床面と同一平面を形成する蓋体となり、平面状の展開では前記上下脚の起立状態で水平位置にしたアーム上に載置してテーブル板となり、かつ前記上脚を折り曲げた状態で下脚と傾斜位置にしたアーム上に載置してオットマンとする天板とを備えたことを特徴とするものである。
【０００６】
【発明の実施の形態】
本発明の実施の形態を図面に基づいて説明する。図１において、１は後席であり、２は後席前方の床面である。この床面２の足留り部において、開口部３を有する床下ピット４を形成したフラットな床面を構成し、前記床下ピット４内にボックス５が設置されている。
【０００７】
前記ボックス５内の両側にはヒンジ７によって２つ折り曲げ可能に結合した上脚６ａと下脚６ｂが図３で示すように、ボックス５内の両側面に固定した取付部材１８にヒンジ１９を介して直立状態とボックス５内に水平方向に格納するよう起倒可能に設けられている。前記２つ折り曲げは上脚６ａと下脚６ｂが起立状態において図２で示すように、前記後席１に対し上脚６ａが前後方向に折り曲げられる。
【０００８】
この上下脚６ａ，６ｂの上脚６ａの上端にはアーム８が軸９によって回動可能に枢着されており、このアーム８には後述する天板１６をテーブル仕様にするためのピン１０と、オットマン仕様にするためのピン１１とが突設されている。尚、前記下脚６ｂの上面にもオットマン仕様にするためのピン１７が突設されており、このピン１７は起立状態において上脚６ａの位置決めも兼ねている。
【０００９】
前記アーム８には、このアーム８を起立状態の上下脚６ａ，６ｂに対し水平位置と、上脚６ａを折り曲げた状態において傾斜位置とに支持するステー１２が軸１３によって回動可能に枢着されている。このステー１２の先端は上下脚６ａ，６ｂのそれぞれに突設されたピン１４，１５の両方及び片方に掛け止めするようになっている。
【００１０】
前記天板１６は図６乃至図８で示すように、２枚の板がヒンジ１６ａによって連結され、平面状の展開並びに２つ折り重ね可能であり、片面にはカーペット１６ｂが取り付けられている。そして前記２つ折り重ねに折り畳んだ時には前記カーペット１６ｂの面が外側になるようにされている。
【００１１】
この天板１６は前記ボックス５上面の開口部を閉塞して床面２と同一平面を形成する蓋体となり、平面状の展開では前記上下脚６ａ，６ｂの起立状態で水平位置にしたアーム８上に載置してテーブル板となり、かつ前記上脚６ａを折り曲げた状態で下脚６ｂと傾斜位置にしたアーム８上に載置してオットマンにするものである。
【００１２】
本発明は上記の通りの構成であるから、上下脚６ａ，６ｂの格納状態は図４の左側と図５で示すように、アーム８とステー１２とともにボックス５内に水平状態に倒れ、カーペット１６ｂの面が外側になるよう２つ折り重ねに折り畳んだ天板１６がボックス５の開口部に載置され、床面２と同一平面となり、フラットな床面を形成し、違和感がなく居住スペースを有効に使用することができる。
【００１３】
テーブル仕様にする場合は、天板１６を取り除いてボックス５の開口部を開放し、図１，図３及び図４の右側で示すように、上下脚６ａ，６ｂを起立状態にし、アーム８を水平状態に回動してステー１２で支持させる。
【００１４】
そして、天板１６を平面状に展開し、図７で示すようにカーペット１６ｂの面を下面に向けてアーム８のピン１０に嵌め込んでアーム８上に載置する。これによって、図１で示すように、後席の前方に所要高さで面積の大きなテーブルが具現する。
【００１５】
オットマン仕様にする場合は図２で示すように、上脚６ａを折り曲げた状態で下脚６ｂと傾斜位置にしたアーム８上に平面状に展開した天板１６を図８で示すようにカーペット１６ｂの面を上面に向けて載置することにより、後席着座者は傾斜したカーペット１６ｂの面に足を乗せるオットマンとなる。その時に靴を脱いで足を乗せる場合は、脱いだ靴をボックス５内に収納することができ、脱いだ靴が床面２上で邪魔になることがない。
【００１６】
また、ボックス５は脱いだ靴の収納以外に各種の物品を収納するトランクとして使用することができ、後席着座者が車内に持ち込んだ手荷物等を収納することにより、手荷物等を座席上や床面上に置かなくてもすむため、座席や床面のスペースが有効に使用され居住性を良好にする。
【００１７】
【発明の効果】
以上のように本発明によると、後席前方の床面下に格納可能なテーブル仕様及びオットマン仕様ができ、しかも前席の位置に左右されず一定位置にテーブル及びオットマンを具現させることができると共に、後席前方の床面下に各種の物品や後席着座者が車内に持ち込んだ手荷物等を収納可能とし、座席や床面のスペースが有効に使用され居住性を良好とする利点を有している。
【図面の簡単な説明】
【図１】テーブル仕様状態の本発明の断面図
【図２】オットマン仕様状態の本発明の断面図
【図３】上下脚を起立したテーブル仕様状態の斜視図
【図４】上下脚の格納状態と起立状態の説明図
【図５】上下脚の格納状態の断面図
【図６】２つ折り重ねに折り畳んだ天板の側面図
【図７】平面状に展開したテーブル仕様の天板の側面図
【図８】平面状に展開したオットマン仕様の天板の側面図
【図９】従来のテーブルの説明図
【図１０】従来のテーブルの説明図
【符号の説明】
１      後席
２      床面
３      開口部
４      床下ピット
５      ボックス
６ａ    上脚
６ｂ    下脚
７      ヒンジ
８      アーム
１２    ステー
１６    天板
１６ａ  ヒンジ
１６ｂ  カーペット
【図１】
0003563205.tif 000002
【図２】
0003563205.tif 000003
【図５】
0003563205.tif 000004
【図３】
0003563205.tif 000005
【図４】
0003563205.tif 000006
【図６】
0003563205.tif 000007
【図７】
0003563205.tif 000008
【図８】
0003563205.tif 000009
【図９】
0003563205.tif 000010
【図１０】
0003563205.tif 000011